(57)【要約】【課題】雨水の侵入するおそれがなく、意匠性が高い雨衣の空調システムを提供する。【解決手段】身頃本体（１０）の胴廻りに対応位置する下部だけを内布（１０−Ｂ）と、その内布を包囲する外布（１０−Ａ）とから成る二重構造として、その内布の後身頃（１０Ｒ）に左右一対のファン取付口（２６）を設けると共に、その各ファン取付口へ取り付けたファン（Ｆ）を、上記内布の外側に付属設置した下向き開口する半円錐形の吸気誘導フード（３７）により被覆して、上記ファンがその吸気誘導フードの下方から内布の内側へ空気を吸い込むように定めた。【選択図】図７
0003220232.tif 000002
【実用新案登録請求の範囲】
【請求項１】
身頃本体の胴廻りに対応位置する下部だけを内布と、その内布を被覆する外布とから成る二重構造として、その内布の後身頃に左右一対のファン取付口を設け、
その各ファン取付口へ取り付けたファンを、上記内布の外側に付属設置した下向き開口する半円錐形の吸気誘導フードにより被覆して、
上記ファンがその吸気誘導フードの下方から内布の内側へ空気を吸い込むように定めたことを特徴とする雨衣の空調システム。
【請求項２】
身頃本体の胴廻りに対応位置する下部だけを内布と、その内布を被覆する外布とから成る二重構造として、その内布の後身頃に左右一対のファン取付口を設け、
その各ファン取付口へ取り付けたファンを、上記内布の外側に付属設置した下向き開口する半円錐形の吸気誘導フードにより被覆する一方、
上記二重構造の下部を除く身頃本体の背中と対応位置する上部に、その外布の裏布となるメッシュシートをその周縁部での点在分布状態又は全体的な縁取り状態に取り付けて、
そのメッシュシートへ半円筒形又は三日月形の排気誘導トンネルを付属設置すると共に、
上記身頃本体における後身頃の首廻りに臨む上端中央部から吊り下がるバンドにより、上記排気誘導トンネルを上下開口状態に保持して、
上記ファンがその吸気誘導フードの下方から内布の内側へ吸い込んだ空気を、上記排気誘導トンネルから着用者の首廻りへ排出するように定めたことを特徴とする雨衣の空調システム。
【請求項３】
内布の後身頃へ外側から左右一対の吸気誘導フード収納ポケットを縫い付けると共に、
その各吸気誘導フード収納ポケットへ別個の弾性変形可能な吸気誘導フードを下向き開口する半円錐形の弯曲状態として、且つ抜き差し自在に差し込んだことを特徴とする請求項１又は２記載の雨衣の空調システム。
【請求項４】
内布の前身頃へ内側からバッテリ収納ポケットを縫い付けると共に、
そのバッテリ収納ポケットへ収納したバッテリを、左右一対のファンと電気的に接続配線したことを特徴とする請求項１又は２記載の雨衣の空調システム。
【請求項５】
内布の裾部に空気漏出防止用の伸縮材を取り付けると共に、
その裾部を内布よりも長く垂下する外布によって、周囲からの直視不能に被覆化粧したことを特徴とする請求項１又は２記載の雨衣の空調システム。
【請求項６】
ファンを内布のファン取付口へ外側から差し込まれる張り出しフランジ付きの固定リングと、その固定リングの胴面へ上記内布の内側から螺合締結されるファン本体とから成る１組として、
そのファン本体と固定リングとの締結により、上記ファン取付口の開口縁部へ着脱自在に挟み付け固定するように定めたことを特徴とする請求項１又は２記載の雨衣の空調システム。
【請求項７】
メッシュシートの外側へ排気誘導トンネル収納ポケットを連通状態に縫い付けて、
その排気誘導トンネル収納ポケットを身頃本体における後身頃の首廻りに臨む上端中央部から吊り下がるバンドによって、上向き開口する状態に保持すると共に、
別個な上下開口する三日月形又は半円筒形の排気誘導トンネルを、その収納ポケットへ上方から抜き差し自在に差し込み固定したことを特徴とする請求項２記載の雨衣の空調システム。
【考案の詳細な説明】
【技術分野】
【０００１】
本考案は作業用雨衣の空調システムに関する。
【背景技術】
【０００２】
作業時に着用する空調付きの衣服一般については、その典型例が特許文献１〜３に開示されている。そのうち、特許文献３に記載の空調付き衣服は、その内部へ空気を取り込むファン（３）のみならず、その取り込んだ空気を着用者の首元から排出する第二通気材（５）も具備している点で、本考案に最も近似する公知技術であると考えられる。
【先行技術文献】
【特許文献】
【０００３】
【特許文献１】特許第5995123号公報
【特許文献２】特許第6332778号公報
【特許文献３】実用新案登録第3216594号公報
【考案の概要】
【考案が解決しようとする課題】
【０００４】
ところが、上記特許文献３に開示された空調付き衣服の構成では、その左右一対のファン（３）が上着（２）の外側へ全開状態に露出しているため、その衣服としての意匠性（外観化粧効果）に劣るばかりでなく、雨水が侵入する結果、雨衣（防水着）には適用することができない。
【０００５】
また、雨衣は防水着として通気性を有さないため、夏期には非常に蒸れやすく、屋外での各種作業上不快であるところ、特許文献３の第二通気材（５）としては第一通気材（４）と同じく、立体網状部材やこれに代る所定厚みのメッシュシートでも良い旨が記載されているように、材料自身の通気性と可撓性に期待しており、物理的な通気路を区画形成していないため、着用者の首廻りを集中的に効率良く冷却することができず、その冷却効果の確実性や安定性に劣る。
【課題を解決するための手段】
【０００６】
本考案はこのような課題の改良を目的としており、その目的を達成するために、請求項１では身頃本体の胴廻りに対応位置する下部だけを内布と、その内布を被覆する外布とから成る二重構造として、その内布の後身頃に左右一対のファン取付口を設け、
【０００７】
その各ファン取付口へ取り付けたファンを、上記内布の外側に付属設置した下向き開口する半円錐形の吸気誘導フードにより被覆して、
【０００８】
上記ファンがその吸気誘導フードの下方から内布の内側へ空気を吸い込むように定めたことを特徴とすることを特徴とする。
【０００９】
請求項２では身頃本体の胴廻りに対応位置する下部だけを内布と、その内布を被覆する外布とから成る二重構造として、その内布の後身頃に左右一対のファン取付口を設け、
【００１０】
その各ファン取付口へ取り付けたファンを、上記内布の外側に付属設置した下向き開口する半円錐形の吸気誘導フードにより被覆する一方、
【００１１】
上記二重構造の下部を除く身頃本体の背中と対応位置する上部に、その外布の裏布となるメッシュシートをその周縁部での点在分布状態又は全体的な縁取り状態に取り付けて、
【００１２】
そのメッシュシートへ半円筒形又は三日月形の排気誘導トンネルを付属設置すると共に、
【００１３】
上記身頃本体における後身頃の首廻りに臨む上端中央部から吊り下がるバンドにより、上記排気誘導トンネルを上下開口状態に保持して、
【００１４】
上記ファンがその吸気誘導フードの下方から内布の内側へ吸い込んだ空気を、上記排気誘導トンネルから着用者の首廻りへ排出するように定めたことを特徴とする。
【００１５】
請求項３では内布の後身頃へ外側から左右一対の吸気誘導フード収納ポケットを縫い付けると共に、
【００１６】
その各吸気誘導フード収納ポケットへ別個の弾性変形可能な吸気誘導フードを下向き開口する半円錐形の弯曲状態として、且つ抜き差し自在に差し込んだことを特徴とする。
【００１７】
請求項４では内布の前身頃へ内側からバッテリ収納ポケットを縫い付けると共に、
【００１８】
そのバッテリ収納ポケットへ収納したバッテリを、左右一対のファンと電気的に接続配線したことを特徴とする。
【００１９】
請求項５では内布の裾部に空気漏出防止用の伸縮材を取り付けると共に、
【００２０】
その裾部を内布よりも長く垂下する外布によって、周囲からの直視不能に被覆化粧したことを特徴とする。
【００２１】
請求項６ではファンを内布のファン取付口へ外側から差し込まれる張り出しフランジ付きの固定リングと、その固定リングの胴面へ上記内布の内側から螺合締結されるファン本体とから成る１組として、
【００２２】
そのファン本体と固定リングとの締結により、上記ファン取付口の開口縁部へ着脱自在に挟み付け固定するように定めたことを特徴とする。
【００２３】
請求項７ではメッシュシートの外側へ排気誘導トンネル収納ポケットを連通状態に縫い付けて、
【００２４】
その排気誘導トンネル収納ポケットを身頃本体における後身頃の首廻りに臨む上端中央部から吊り下がるバンドによって、上向き開口する状態に保持すると共に、
【００２５】
別個な上下開口する三日月形又は半円筒形の排気誘導トンネルを、その収納ポケットへ上方から抜き差し自在に差し込み固定したことを特徴とする。
【考案の効果】
【００２６】
請求項１の構成によれば、身頃本体の胴（腰）廻りに対応位置する下部だけが、内布とこれを被覆する外布とから成る二重身頃構造として、その内布の後身頃に開口分布する左右一対のファン取付口へ、対応的な左右一対のファンが取り付けられているため、その両ファンは身頃本体の外布によって被覆され、外側へ露出しない結果、雨水の侵入するおそれがなく、しかも外観体裁（意匠性）の良好な雨衣として使用できる効果がある。
【００２７】
また、上記ファンが身頃本体の外布によって被覆されていても、そのファンに対する吸気誘導フードが上記内布の外側へ、下向き開口する半円錐形として付属設置されているため、その内布と外布との相互間へ臨む吸気誘導フードの下向き開口から、ファンによって充分な空気を確実・円滑に吸い込むことができ、雨衣の着用者を安定裡に効率良く冷却し得るのである。
【００２８】
他方、請求項２の構成によれば、身頃本体の背中と対応位置する上部は言わば外布のみの一重身頃構造をなすが、その身頃本体（外布）の裏布となるメッシュシートに、三日月形又は半円筒形の排気誘導トンネルが付属設置されており、その排気誘導トンネルは上記身頃本体における後身頃の首廻りに臨む上端中央部から吊り下がるバンドによって、上下の開口状態に吊持されているため、上記ファンが吸い込んだ空気を着用者の背中に沿って排気誘導トンネルへ確実・円滑に誘導・排出することができ、着用者の首廻りも集中的に効率良く冷却し得るのであり、空調効果がますます向上する。
【００２９】
特に、請求項３の構成を採用するならば、上記吸気誘導フードをその収納ポケットの内部へ正確な半円錐形の弯曲状態として、すばやく容易に差し込むことができ、またその吸気誘導フードを抜き出して交換したり、これを抜き出した冬期などの非空調雨衣として、便利良く使用したりすることも可能である。
【００３０】
請求項４の構成を採用するならば、上記身頃本体における内布の後身頃にファンが取り付けられている一方、同じく内布の前身頃にバッテリが設置されることとなるため、上記ファンとその電源のバッテリとを極めて短いケーブルによって接続配線することができ、着用者の動きをいたずらに制約するおそれはない。
【００３１】
また、請求項５の構成を採用するならば、内布の裾部に取り付けられた伸縮材によって、その内布の内側に吸い込まれた空気の漏出を防止することができ、しかもその裾部はこれよりも垂下長さの長い外布によって被覆されるため、雨衣としての意匠性を向上することができる。
【００３２】
更に、請求項６の構成を採用するならば、上記ファンをそのファン本体と固定リングとの螺合締結によって、身頃本体における内布のファン取付口へ誰でも容易・確実に挟み付けることができ、またそのファンを取りはずして清掃したり、交換したりすることも可能である。
【００３３】
請求項７の構成を採用するならば、上記排気誘導トンネルもその収納ポケットの内部へ、上方から容易・確実に差し込み固定することができ、また着用者が違和感を受けたり空調の不要であったりした場合には、その排気誘導トンネルを抜き出すことも可能であって、利便性が向上する。
【図面の簡単な説明】
【００３４】
【図１】本考案の実施形態に係る雨衣の全体概略正面図である。
【図２】同じく雨衣の全体概略背面図である。
【図３】雨衣の前身頃を開いた状態の概略正面図である。
【図４】図２の４−４線に沿う拡大断面図であり、併せて、バッテリとの電気配線を模式的に示している。
【図５】図３の一部を抽出して示す拡大正面図である。
【図６】図５の６−６線断面図である。
【図７】同じく図５の７−７線断面図である。
【図８】図２の８−８線に沿う拡大断面図である。
【図９】排気誘導トンネルとその収納ポケットとの対応関係を示す分解斜面図である。
【図１０】図８の１０−１０線に沿う拡大断面図である。
【考案を実施するための形態】
【００３５】
以下、図面に基いて本考案の好適な実施形態を詳述すると、図１〜３はその作業用雨衣の概略全体を示しており、これは身頃本体（１０）とフード（１１）、左右一対の長袖（１２）並びに左右一対の襠（添え布）（１３）とから構成されている。
【００３６】
これらの構成部材は何れもナイロンやポリエステル、ＥＶＡ（エチレン酢酸ビニール）、その他の伸縮性が少ない合成繊維から成り、その表面には撥水性が与えられている一方、裏面にはポリ塩化ビニール系樹脂コーティングやポリウレタン系樹脂コーティング又はラミネートなどの防水性が与えられている。
【００３７】
上記左右一対の襠（１３）は何れも長袖（１２）の袖口部から身頃本体（１０）の中途高さ位置（Ｈ−Ｈ）に至るまでの一定長さを有しており、下方へ行く程徐々に広幅となる細長いほぼ等脚台形の展開輪郭形状を呈している。
【００３８】
そして、上記襠（１３）は長袖（１２）の脇部と、身頃本体（１０）における前身頃（１０Ｆ）の体側部に沿って連続的に縫製されている。（１４Ｆ）はその襠（１３）における長袖（１２）の脇部と前身頃（１０Ｆ）の体側部に沿って延在する前側縫製ラインを示している。
【００３９】
また、上記襠（１３）は同じく長袖（１２）の脇部と、身頃本体（１０）における後身頃（１０Ｒ）の体側部に沿ってやはり連続的に縫製されている。（１４Ｒ）はその襠（１３）における長袖（１２）の脇部と後身頃（１０Ｒ）の体側部に沿って延在する後側縫製ラインを示している。
【００４０】
（１５Ｆ）（１５Ｒ）は上記前身頃（１０Ｆ）並びに後身頃（１０Ｒ）を含む身頃本体（１０）と、左右一対の長袖（１２）とを連結する斜め方向へ延在する前側縫製ライン並びに後側縫製ライン、（１６）はフード（１１）の付け根部を身頃本体（１０）並びに長袖（１２）に縫い付ける首廻りの縫製ラインであるが、そのフード（１１）がなく、襟（図示省略）が縫製された雨衣となることもあり得る。
【００４１】
上記襠（１３）の一端部となる身頃本体（１０）の中途高さ位置（Ｈ−Ｈ）よりも下部は、着用者の胴（腰）廻りに対応位置する領域となり、ここだけが図３〜７から明白なように、内布（１０−Ｂ）とその内布（１０−Ｂ）を被覆する外布（１０−Ａ）とから成る二重身頃構造に形作られている。
【００４２】
つまり、上記前身頃（１０Ｆ）と後身頃（１０Ｒ）を含む身頃本体（１０）は、言わば外布（１０−Ａ）のみから成る一重構造であるが、これと別個な内布（１０−Ｂ）の上端縁部が身頃本体(外布)（１０）の上記中途高さ位置（Ｈ−Ｈ）に沿ってほぼ水平に縫製されており、その内布（１０−Ｂ）と外布（１０−Ａ）との二重構造になっているのである。
【００４３】
その場合、図５、７の拡大図に示すように、その身頃本体（１０）の上記中途高さ位置（Ｈ−Ｈ）から垂下する内布（１０−Ｂ）の長さ（Ｙ２）は、同じく中途高さ位置（Ｈ−Ｈ）から垂下する外布（１０−Ａ）の長さ（Ｙ１）よりも短く、その内布（１０−Ｂ）の裾部（下端縁部）は外布（１０−Ａ）によって被覆されているため、周囲から直視することができず、外布（１０−Ａ）の外側から内布（１０−Ｂ）の内側へ雨水が侵入するおそれもない。
【００４４】
しかも、その内布（１０−Ｂ）の裾部（下端縁部）にはゴム紐やその他の伸縮材（１７）が取り付けられており、ここを着用者の胴（腰）廻りへ密着させることによって、後述のファンが内布（１０−Ｂ）の内側へ吸い込んだ空気をはらみ、その内側から漏出させないようになっている。
【００４５】
（１８）は上記身頃本体（１０）における前身頃（１０Ｆ）の開閉用スライドファスナーであって、その身頃本体（１０）の中央縦断線上に沿って延在しており、そのスライドファスナー（１８）における左右一対のテープ片（図示省略）を前身頃（１０Ｆ）の裏面へ縫い付ける縫製ライン（１９）を兼用して、上記内布（１０−Ｂ）の左右両側縁部が身頃本体（外布）（１０）へほぼ垂直に縫製されている。（２０）はその縫製ライン（１９）を同じく兼用して、前身頃（１０Ｆ）の裏面に縫い付けられた上記スライドファスナー（１８）の防水カバーである。
【００４６】
他方、身頃本体（１０）における内布（１０−Ｂ）の上端縁部が縫い付けられた上記中途高さ位置（Ｈ−Ｈ）よりも上部は、外布（１０−Ａ）のみから成る一重構造であり、この領域には図３、８から明白なように、裏布となる柔軟なメッシュシート（２１）の周縁部が複数個所での点在分布状態、又はそのメッシュシート（２１）の全体的な縁取り状態に縫い付けられている。
【００４７】
そのため、上記メッシュシート（２１）は着用者の背中と後身頃（１０Ｒ）との相互間へ、遊離状態に介在することとなり、そのメッシュ（網目）が通気路として働き、後述のファンが上記内布（１０−Ｂ）の内側へ吸い込んだ空気を、その通気路から上方の後述する排気誘導トンネルへ誘導することができる。
【００４８】
その場合、フード（１１）にも裏布となる別個なメッシュシート（２２）が縁取り状態に縫い付けられているが、そのフード（１１）側メッシュシート（２２）の下端縁部と、上記身頃本体（１０）の裏布をなすメッシュシート（２１）の上端縁部とは、図８のような一定幅（Ｗ）を備えた非メッシュ帯（２３）によって連結されている。
【００４９】
つまり、フード（１１）側メッシュシート（２２）の下端縁部がその非メッシュ帯（２３）の上端縁部に縫い付けられている一方、身頃本体（１０）側メッシュシート（２１）の上端縁部が同じく非メッシュ帯（２３）の下端縁部に縫い付けられているのであり、その上下一対の縫製ライン（２４）（２５）はほぼ平行に延在している。
【００５０】
尚、上記非メッシュ帯（２３）は身頃本体（１０）の外布（１０−Ａ）や内布（１０−Ｂ）と同じ素材から成り、ここがフード（１１）の付け根部に対応位置して、身頃本体（１０）の外布（１０−Ａ）と一緒に着用者の首廻りを包囲することになる。  
【００５１】
上記身頃本体（１０）の中途高さ位置（Ｈ−Ｈ）よりも下部が着用者の胴（腰）廻りに対応位置する領域として、内布（１０−Ｂ）とこれを包囲する外布（１０−Ａ）とから成る二重身頃構造になっている旨は既述のとおりであるが、その内布（１０−Ｂ）の後身頃（１０Ｒ）には図３、４から明白なように、左右一対の円形なファン取付口（２６）が開口分布されていると共に、同じく内布（１０−Ｂ）の前身頃（１０Ｆ）における左右何れか一方には、その内側からバッテリ収納ポケット（２７）が縫い付けられている。そのバッテリ収納ポケット（２７）は上向き開口状態にある。
【００５２】
そして、その各ファン取付口（２６）には内布（１０−Ｂ）の内側からポリエチレンやその他の合成樹脂製シートパッキング（２８）が縫い付けられており、その開口縁部の補強と気密を保てるようになっている。
【００５３】
（Ｆ）は硬質な合成樹脂製ファン（扇風機）の左右一対であって、その各個が図５〜７の拡大図に示すように、上記ファン取付口（２６）へ内布（１０−Ｂ）の外側から差し込まれる固定リング（２９）と、その固定リング（２９）の胴面へ上記内布（１０−Ｂ）の内側から螺合締結されるファン本体（３０）とから成り、そのファン本体（３０）と固定リング（２９）とを相対的に螺進すれば、そのファン本体（３０）の張り出しフランジ（３１）と固定リング（２９）の張り出しフランジ（３２）によって、上記ファン取付口（２６）の開口縁部を挟み付け固定するようになっている。そのため、そのファン本体（３０）と固定リング（２９）とを相対的に螺退することにより、上記ファン取付口（２６）からファン（Ｆ）を取りはずし交換することができる。
【００５４】
尚、左右一対のファン（Ｆ）は図４に示唆する一定長さのケーブル（３３）を介して、上記バッテリ収納ポケット（２７）に収納されたバッテリ（３４）と電気的に接続され、そのバッテリ（３４）を電源として、上記ファン本体（３０）の羽根（３５）が回転駆動されることは言うまでもない。  
【００５５】
また、（３６）は左右一対の吸気誘導フード収納ポケットであって、前後方向から見て矩形（図例では縦方向に細長い長方形）をなし、その下辺を除く上辺と左右両側辺との３辺が、上記内布（１０−Ｂ）の後身頃（１０Ｒ）へ外側から縫い付けられており、その内部へ下方から抜き差し自在に差し込まれた吸気誘導フード（３７）に沿って、上記ファン（Ｆ）がその吸気誘導フード（３７）の下向き開口から空気を吸い込むようになっている。（３８）はその内布（１０−Ｂ）に対する吸気誘導フード収納ポケット（３６）の縫製ラインを示している。
【００５６】
上記吸気誘導フード（３７）はＥＶＡ発泡体やその他の弾性変形可能な板材から成り、これをその収納ポケット（３６）へ下方から差し込めば、その過程において自ずと図６、７のような下向き開口する半円錐形に弯曲し、その復元突っ張り力によって上記ポケット（３６）の内部へ脱落不能に取り付け維持されることになるが、そのポケット（３６）の開口下縁部は吸気誘導フード（３７）の受け止め片（３９）として、内向き折り曲げ状態にある。
【００５７】
上記吸気誘導フード（３７）の取付状態では、身頃本体（１０）の内布（１０−Ｂ）とこれを被覆する外布（１０−Ａ）との内外相互間に、その内布（１０−Ｂ）に付属した半円錐形の吸気誘導フード（３７）が介在することになる結果、これによって上記内外相互間に必ず一定の間隙（Ｄ１）が確保され、その吸気誘導フード（３７）の下向き開口からファン（Ｆ）へ、図７の矢印（Ｚ１）で示す如く充分な空気を円滑に安定良く誘導することができる。
【００５８】
図示実施形態の場合、上記内布（１０−Ｂ）に吸気誘導フード収納ポケット（３６）を縫い付けて、その内部へ別個な吸気誘導フード（３７）を抜き差し自在に差し込むようになっており、そのため吸気誘導フード（３７）を抜き出し交換することができるが、上記ファン（Ｆ）への円滑・確実な吸気誘導作用を営める限りでは、上記吸気誘導フード収納ポケット（３６）の設置を省略して、その吸気誘導フード（３７）自身を上記内布（１０−Ｂ）の後身頃（１０Ｒ）へ外側から直接に取り付け一体化しても良い。
【００５９】
更に、身頃本体（１０）の中途高さ位置（Ｈ−Ｈ）よりも上部は外布（１０−Ａ）のみの一重身頃構造になっており、この領域には裏布となるメッシュシート（２１）が縫い付けられている旨を説明したが、その身頃本体（１０）における後身頃（１０Ｒ）の中央縦断線上、就中後身頃（１０Ｒ）の首廻りに臨む上端中央部に位置する排気誘導トンネル収納ポケット（４０）が、その後身頃（外布）（１０Ｒ）とメッシュシート（２１）との内外相互間に介在されている。
【００６０】
しかも、図８〜１０から明白なように、その排気誘導トンネル収納ポケット（４０）は上記裏布になるメッシュシート（２１）と、そのメッシュシート（２１）の上端縁部に縫い付けられた上記非メッシュ帯（２３）との境界部へ臨む高さ位置に吊持されている。
【００６１】
つまり、上記排気誘導トンネル収納ポケット（４０）は前後方向から見て矩形（図例では横方向に細長い長方形）をなし、その下辺がメッシュシート（２１）へ、左右両側辺がそのメッシュシート（２１）と非メッシュ帯（２３）との双方へ、何れも外側から縫い付けられている。（４１）（４２）はその下辺と左右両側辺の縫製ラインを示している。
【００６２】
また、同じく排気誘導トンネル収納ポケット（４０）の開口上縁部は一定長さの吊りバンド（４３）を介して、後身頃（外布）（１０Ｒ）における上記フード（１１）の付け根部へ内側から縫い付けられている。その吊りバンド（４３）も上記後身頃（１０Ｒ）の中央縦断線上に沿って延在することは言うまでもない。（４４）はその吊りバンド（４３）の上端部を後身頃（外布）（１０Ｒ）に縫い付ける縫製ライン、（４５）は同じく吊りバンド（４３）の下端部を上記排気誘導トンネル収納ポケット（４０）の開口上縁部へ縫い付ける縫製ラインである。
【００６３】
（４６）は上記排気誘導トンネル収納ポケット（４０）へ上方から抜き差し自在に差し込まれる排気誘導トンネルであって、フラットな取付面（４７）と円弧面（４８）とから図９のような上下が開口する三日月形又は半円筒形に作成されており、しかもその円弧面（４８）にＥＶＡ発砲体やその他の弾性変形可能な板材（４９）が封入されている。
【００６４】
そして、このような排気誘導トンネル（４６）がその上記収納ポケット（４０）へ上方から抜き差し自在に差し込まれることにより、上記ファン（Ｆ）がその吸気誘導フード（３７）の下方から内布（１０−Ｂ）の内側へ吸い込んだ空気を、先に一言した身頃本体（１０）側メッシュシート（２１）のメッシュ（網目）を通じて、その上下開口する排気誘導トンネル（４６）から着用者の首廻りへ排出し、その首廻りを集中的に効率良く冷却することができるようになっている。
【００６５】
（５０）は上記排気誘導トンネル（４６）のフラット面（４７）に取り付けられたハトメホック（ドットボタン）、（５１）はこれと着脱自在のハトメホック（ドットボタン）であって、上記した一定幅（Ｗ）の非メッシュ帯（２３）に対応設置されているが、このような雌雄一対のハトメホックに代えて、面ファスナーやその他の止着具により、上記排気誘導トンネル（４６）を固定状態に維持しても良い。
【００６６】
上記排気誘導トンネル（４６）の取付状態では、身頃本体（１０）における後身頃（外布）（１０Ｒ）と、その裏布になるメッシュシート（２１）との内外相互間に、そのメッシュシート（２１）に付属した三日月形又は半円筒形の排気誘導トンネル（４６）が介在することになるため、これによって上記内外相互間に必ず一定の間隙（Ｄ２）が確保され、ファン（Ｆ）が吸い込んだ空気を図８の矢印（Ｚ２）で示すように、上記メッシュシート（２１）のメッシュ（網目）から着用者の背中に沿って首廻りへ円滑に誘導することができるのである。
【００６７】
図示の実施形態では上記排気誘導トンネル収納ポケット（４０）の内部へ、これと別個に用意した排気誘導トンネル（４６）を、抜き差し自在に差し込むようになっているため、その排気誘導トンネル（４６）を抜き出し交換することができるが、上記ファン（Ｆ）からの吸気を着用者の首廻りへ、円滑・確実に誘導して排気作用し得るならば、上記排気誘導トンネル収納ポケット（４０）の設置を省略して、その排気誘導トンネル（４６）自身を上記身頃本体（１０）の裏布となるメッシュシート（２１）へ外側から直接に付属設置してもさしつかえない。
【００６８】
また、フード（１１）付きの作業用雨衣を示したが、そのフード（１１）がなく、襟（図示省略）を備えた雨衣についても、本考案を適用実施することができる。
【００６９】
本考案の実施形態に係る雨衣は上記した構成を備えており、使用者が降雨時の屋外作業上、その雨衣を着用して、左右一対のファン（Ｆ）に接続配線したバッテリ（４３）をスイッチ・オン操作すれば、そのファン本体（３０）の羽根（３５）が回転し、これによって空気が上記吸気誘導フード（３７）の下方から身頃本体（１０）における内布（１０−Ｂ）の内側へ吸い込まれ、その後身頃（１０Ｒ）の裏布となるメッシュシート（２１）のメッシュ（網目）を通気路として上昇し、引き続きそのメッシュシート（２１）に付属設置されている排気誘導トンネル（４６）から外側へ排出されるという流れが自づと発生することになり、着用者の胴（腰）廻りから背中を経て、首廻りまでの上半身を効率良く冷却することができる。
【００７０】
その場合、身頃本体（１０）の上記中途高さ位置（Ｈ−Ｈ）よりも下部では、ファン（Ｆ）を取り付けられた内布（１０−Ｂ）が外布（１０−Ａ）によって被覆されているため、そのファン（Ｆ）の露出による雨水の侵入や外観体裁（意匠性）の悪化するおそれはない。
【００７１】
そして、上記ファン（Ｆ）が身頃本体（１０）の外布（１０−Ａ）によって被覆されているとしても、その吸気誘導フード（３７）は身頃本体（１０）における内布（１０−Ｂ）の外側に取り付けられており、これによって内布（１０−Ｂ）と外布（１０−Ａ）との内外相互間に一定の間隙（Ｄ１）を確保しているため、その半円錐形をなす吸気誘導フード（３７）の下向き開口から、充分な空気をファン（Ｆ）によって確実・円滑に吸い込むことができ、その吸気作用が常に安定する。
【００７２】
また、上記身頃本体（１０）の上記中途高さ位置（Ｈ−Ｈ）よりも上部では、その身頃本体（１０）に裏布となるメッシュシート（２１）が付属設置されており、そのメッシュシート（２１）の外側に取り付けられた排気誘導トンネル（４６）によって、上記メッシュシート（２１）と身頃本体（１０）における後身頃（外布）（１０Ｒ）との内外相互間に一定の間隙（Ｄ２）を確保しているため、その上下開口する三日月形又は半円筒形の排気誘導トンネル（４６）を通じ、空気を整流した状態として着用者の首廻りへ集中的に誘導・排出することができる。
【００７３】
尚、上記空気の流動中、身頃本体（１０）における内布（１０−Ｂ）の裾部が伸縮材（１７）によって、その空気の漏出しない状態に絞り収縮されていることは言うまでもない。上記ファン（Ｆ）の吸気誘導フード（３７）と排気誘導トンネル（４６）は、各々その吸気誘導フード収納ポケット（３６）と排気誘導トンネル収納ポケット（４０）から抜き出せるため、例えば汚損したような場合に交換したり、寒い時や冬期には非空調の雨衣として着用したりすることも可能である。
【符号の説明】
【００７４】
（１０）・・・・・・身頃本体
（１０Ｆ）・・・・・前身頃
（１０Ｒ）・・・・・後身頃
（１０−Ａ）・・・・外布
（１０−Ｂ）・・・・内布
（１７）・・・・・・伸縮材
（２１）（２２）・・・メッシュシート
（２３）・・・・・・非メッシュ帯
（２６）・・・・・・ファン取付口
（２７）・・・・・・バッテリ収納ポケット
（２８）・・・・・・シートパッキング
（２９）・・・・・・固定リング
（３０）・・・・・・ファン本体
（３１）（３２）・・・張り出しフランジ
（３４）・・・・・・バッテリ
（３５）・・・・・・羽根
（３６）・・・・・・吸気誘導フード収納ポケット
（３７）・・・・・・吸気誘導フード
（４０）・・・・・・排気誘導トンネル収納ポケット
（４３）・・・・・・吊りバンド
（４６）・・・・・・排気誘導トンネル
（Ｆ）・・・・・・・ファン（扇風機）
（Ｄ１）（Ｄ２）・・・一定間隙
（Ｈ−Ｈ）・・・・・中途高さ位置
（Ｗ）・・・・・・・一定幅
（Ｚ１）（Ｚ２）・・・空気流動矢印
【図１】
0003220232.tif 000003
【図２】
0003220232.tif 000004
【図３】
0003220232.tif 000005
【図４】
0003220232.tif 000006
【図５】
0003220232.tif 000007
【図６】
0003220232.tif 000008
【図７】
0003220232.tif 000009
【図８】
0003220232.tif 000010
【図９】
0003220232.tif 000011
【図１０】
0003220232.tif 000012
【手続補正書】
【提出日】平成30年12月17日(2018.12.17)
【手続補正１】
【補正対象書類名】図面
【補正対象項目名】図５
【補正方法】変更
【補正の内容】
【図５】
0003220232.tif 000013